(57)【特許請求の範囲】
【請求項１】
襞折りされた濾過材の外周端縁が樹脂製の枠部材に埋設されて一体に成形されたフィルタエレメントにおいて、
前記枠部材は、前記濾過材の波形状をなす端縁が埋設される枠部材の部位に、外側枠部と内側枠部とを間隔を隔てて備え、前記濾過材は内側枠部を貫通して外側枠部に埋設されていることを特徴とするフィルタエレメント構造。
【発明の詳細な説明】
【０００１】
【発明の属する技術分野】
この発明は、気体や液体を濾過して不純物を取り除くフィルタエレメント構造に関する。
【０００２】
【従来の技術】
従来、この種のフィルタエレメント構造は、図４〜６に示すように、複数の折り山５が形成されてじくざぐに襞折りされた濾過材１と外周端縁２が、これを保持する樹脂製の枠部材３に埋設されており、フィルタエレメント７は射出成形によって濾過材１と枠部材３とが一体に形成されていた。
【０００３】
即ち、このフィルタエレメント７の成形型は、その内部に枠部材３を成形する成形空間と、この成形空間と連通し濾過材１が配置される間隙とが設けられ、上下に２分割可能な構造を成している。
【０００４】
そして、下側の成形型の所定の位置に濾過材１を配置することによって、前記成形空間内に濾過材１の外周端縁２を入り込ませ、上側の成形型を重ね合わせた後に、成形空間内に樹脂が射出されてフィルタエレメント７が形成される。
【０００５】
【発明が解決しようとする課題】
しかしながら、上記従来のフィルタエレメント７の濾過材１は襞折り状をなしているため、折り山５方向に沿う端縁２ａは成形型内の成形空間と平行に配置され枠部材３内に埋設されやすいが、波形状をなす端縁２ｂは成形空間内で不安定に配置される。このため、成形空間内に樹脂が射出されると樹脂の流動によって、前記不安定な端縁２ｂにはよじれや倒れが生じ、枠部材３内に十分に埋設されず、濾過材１が枠部材３に十分に保持されない虞がある。
【０００６】
殊に、フィルタエレメント７の前後において差圧が大きな箇所に、濾過材１の保持力が低いフィルタエレメント７が設置された場合には、濾過材１の一部が枠部材３から抜け出してしまう。よって、フィルタエレメント７の一部に漏れが発生し、濾過されない流体がクリーンサイドに流れて不純物が完全に除去されないという問題があった。
【０００７】
本発明はかかる従来の課題に鑑みて成されたものであり、濾過材が枠部材に十分保持され良好なフィルタ機能が得られるフィルタエレメント構造を提供することを目的とする。
【０００８】
【課題を解決するための手段】
前記目的を達成するために本発明のフィルタエレメント構造は、襞折りされた濾過材の外周端縁が樹脂製の枠部材に埋設されて一体に成形されたフィルタエレメントにおいて、前記枠部材は、前記濾過材の波形状をなす端縁が埋設される枠部材の部位に、外側枠部と内側枠部とを間隔を隔てて備え、前記濾過材は内側枠部を貫通して外側枠部に埋設されていることを特徴とする。
【０００９】
以上の構成によれば、濾過材の波形状をなす端縁が埋設される外側枠部と内側枠部とは、間隔を隔てられているので、成形型にはそれらの成形空間を分ける部位が存在する。一方、濾過材は内側枠部を貫通して外側枠部に埋設されるので、外側枠部を形成する空間と、内側枠部を形成する空間とに跨るように配設される。即ち、外側枠部を形成する空間と、内側枠部を形成する空間とに跨るように配設された濾過材は、それらの空間を分かつ部位で抑えられることになる。この状態で、成形型内に樹脂が充填されて内側枠部と外側枠部とが形成されるので、濾過材は成形型に押さえられ樹脂の流動によってよじれや倒れを生じさせることなく枠部材内に埋設させ、強固に保持することができる。
【００１０】
したがって、このフィルタエレメントがその前後で差圧が大きな箇所に設置されたとしても、濾過材と枠部材との間で漏れが生じることなく良好なフィルタ機能を得ることができる。
【００１１】
【発明の実施の形態】
以下、この発明の好適な一実施の形態を図１乃至図３を用いて詳細に説明する。図１は本発明の一実施形態を示す斜視図、図２は図１の側断面図、図３は図１の平面図である。
【００１２】
本実施形態のフィルタエレメント１０は、複数の折り山が形成され襞折り状をなし平面視ほぼ正方形状の濾過材１１と、その外周端縁１２，１９が埋設されフィルタエレメント１０の外形を形成する枠部材１３とで構成されている。
【００１３】
前記枠部材１３は、前記濾過材１１を囲みほぼ正方形状をなし、その一方の対辺側には濾過材１１の折り山１４と平行な端縁１２が埋設され、他方の対辺側には折り山１４と直角方向をなす波形状の端縁１９が埋設される。
【００１４】
この波形状の両端縁１９が埋設される枠部材１３の部位１３ａにはそれぞれ、その部位１３ａと平行なスリット１６が設けられ、その両側に外側枠部１７と内側枠部１８とが形成されている。そして、濾過材１１の波形状をなす端縁１９は内側枠部１８とスリット１６とを貫通して外側枠部１７に至るように設けられ、内側枠部１８と外側枠部１７とによって濾過材１１が保持されている。
【００１５】
即ち、枠部材１３の内側は濾過材１１によって閉塞され、濾過材１１と枠部材１３とが一体に形成されている。
【００１６】
そして、このフィルタエレメント１０は、上下方向に２つに分割される成形型を用いて、枠部材１３と濾過材１１とが一体となるように射出成形される。
【００１７】
この上下の成形型は重ね合わせた状態で、その内部に枠部材１３が成形される成形空間が形成されるが、重ね合わせられる前に、下側成形型上に濾過材１１が載置される。このとき濾過材１１は、その外周縁部１２，１９が成形空間内に入り込むように配置され、その後上側成形型が重ね合わせられる。
【００１８】
このとき、外側枠部１７と内側枠部１８との間にスリット１６を形成するための突部が成形型には設けられている。このため、成形型内に配置された濾過材１１は内側枠部１８を形成する空間と外側枠部１７を形成する空間との間で前記突部によって押さえられている。
【００１９】
この状態で、成形空間内に射出された樹脂が充満し、冷却された後に脱型されて、フィルタエレメント１０が形成される。
【００２０】
即ち、成形空間内に樹脂が射出される際には、濾過材１１の波形状の端縁１９が成形型に押さえられているので、樹脂の流動によってよじれや倒れを生じさせることなく枠部材１３内にその端縁１９を埋設させ、強固に保持することができる。
【００２１】
このフィルタエレメント１０は、図２に示すように枠部材１３の外面２０に設けられている取付部２１によってエアーフィルタのケーシングやその他のフィルタハウジング等に取り付けられ、気体や液体を矢印方向に通過させて濾過し、それらを清浄する。このとき、フィルタエレメント１０が設置された前後の空間において、大きな圧力差が生じたとしても、濾過材１１は枠部材１３に強固に保持されているので、それらの間に漏れが発生することはない。
【００２２】
特に、濾過材１１は内側枠部１８の外側で成形型に押さえられるので、内側枠部１８では濾過材１１が確実に保持される。よって、内側枠部１８と外側枠部１７との間のスリットを貫通させることなく閉塞し、内側枠部１８の内側だけをフィルタとして機能させると、より確実な清浄作用が得られる。
【００２３】
【発明の効果】
以上の構成によれば、濾過材は、成形されるフィルタエレメントの枠部材に設けられた内側枠部を貫通して外側枠部に埋設されるので、成形時には成形型に設けられた内側枠部と外側枠部とを分ける部位によって濾過材が押さえられる。よって、濾過材は樹脂の流動によってよじれや倒れを生じることなく強固に保持され、できあがったフィルタエレメントは漏れを生じることなく、良好なフィルタ機能を備えることができる。
【図面の簡単な説明】
【図１】この発明によるフィルタエレメントの一実施形態を示す斜視図である。
【図２】同フィルタエレメントの側断面図である。
【図３】同フィルタエレメントの平面図である。
【図４】従来のフィルタエレメントを示す斜視図である。
【図５】従来のフィルタエレメントの側断面図である。
【図６】従来のフィルタエレメントの平面図である。
【符号の説明】
１０  フィルタエレメント
１１  濾過材
１２  端縁（外周端縁）
１３  枠部材
１６  スリット
１７  外側枠部
１８  内側枠部
１９  端縁（外周端縁）
【図１】
0004664519.tif 000002
【図２】
0004664519.tif 000003
【図３】
0004664519.tif 000004
【図４】
0004664519.tif 000005
【図５】
0004664519.tif 000006
【図６】
0004664519.tif 000007